(57)【要約】【課題】周縁の損壊が防止される床パネルと、その製造方法を提供する。【解決手段】床パネル１は、フレーム２と、コンクリート版３と、コンクリート版３の上面に張られたタイル４とを有する。フレーム２は枠状のフレーム本体２ａと、フレーム本体２ａ内に縦横に配列された補強筋２ｂとを有する。タイル４を台状部１１上に配列した後、ベース板１０上にフレーム２を設置し、コンクリートを打設することにより、床パネル１を製造する。【選択図】図７
2014156702.tif 000002
【特許請求の範囲】
【請求項１】
枠状のフレーム本体及び該フレーム本体の枠内を横断している補強筋を有したフレームと、
該フレーム本体の内側にコンクリートを打設することにより該フレームと一体に形成されたコンクリート版と
を有する床パネル。
【請求項２】
請求項１において、前記フレーム本体を水平にした状態において前記コンクリート版の上面の少なくとも一部に排水勾配が付けられている床パネル。
【請求項３】
請求項１又は２において、前記コンクリート版に排水部材が一体に設けられている床パネル。
【請求項４】
請求項１ないし３のいずれか１項において、前記コンクリート版の上面にタイルが張られている床パネル。
【請求項５】
請求項１ないし４のいずれか１項において、前記フレーム本体に吊部が設けられている床パネル。
【請求項６】
請求項１ないし５のいずれか１項の床パネルを製造する方法であって、
ベース板上に前記フレームを設置する工程と、
該フレームの内側にコンクリートを打設して硬化させ、コンクリート版を形成する工程と
を有する床パネルの製造方法。
【請求項７】
請求項６において、ベース板上にタイルを配列した後、コンクリートを打設する床パネルの製造方法。
【請求項８】
請求項６又は７において、ベース板の上面に台状部が設けられており、
該台状部の上面の少なくとも一部が傾斜面となっており、
該台状部を囲むベース板周部の上面が水平面となっており、
フレーム本体が該台状部を取り囲むようにフレームを該ベース板上に設置した後、コンクリートを打設する床パネルの製造方法。
【請求項９】
請求項６において、前記ベース板の上面が傾斜しており、
前記フレームをこの傾斜した該ベース板上面に設置した後、コンクリートを打設する床パネルの製造方法。
【発明の詳細な説明】
【技術分野】
【０００１】
本発明は、浴室、シャワールーム、トイレルーム、洗面室などの水回りエリアの床に好適に用いられる床パネルと、その製造方法に関する。
【背景技術】
【０００２】
浴室、シャワールーム、トイレルームなどの床をコンクリートで構築する場合、コンクリートを打設し、必要に応じその上にタイルを張ることが行われているが、工期が長い。
【０００３】
特開平１−１０５８７４には、ユニットバスの床をプレキャストコンクリート版（ＰＣ版）で構成することが記載されている。
【先行技術文献】
【特許文献】
【０００４】
【特許文献１】特開平１−１０５８７４
【発明の概要】
【発明が解決しようとする課題】
【０００５】
ＰＣ版を運搬、又は現場にて設置するに際して、ＰＣ版の周縁が他のＰＣ版や他の物体（例えば建物の壁、鉄骨や柱など）に当ると、ＰＣ版の周縁が損壊し易い。また、従来、ＰＣ版を製造するに際しては、型枠が必要であり、設計の自由度に制約があった。
【０００６】
本発明は、周縁の損壊が防止される床パネルを提供することを目的とする。また、本発明は、この床パネルを容易に製造することができる床パネルの製造方法を提供することを目的とする。さらに、本発明は、その一態様において、運搬及び設置施工が容易な床パネルを提供することを目的とする。
【課題を解決するための手段】
【０００７】
本発明の床パネルは、枠状のフレーム本体及び該フレーム本体の枠内を横断している補強筋を有したフレームと、該フレーム本体の内側にコンクリートを打設することにより該フレームと一体に形成されたコンクリート版とを有する。
【０００８】
前記フレーム本体を水平にした状態において前記コンクリート版の上面の少なくとも一部に排水勾配が付けられていることが好ましい。また、コンクリート版に排水部材が一体に設けられていることが好ましい。
【０００９】
本発明では、コンクリート版の上面にタイルが張られていてもよい。また、フレーム本体にアイボルト等よりなる吊部が設けられてもよい。
【００１０】
本発明の床パネルの製造方法は、上記本発明の床パネルを製造する方法であって、ベース板上に前記フレームを設置する工程と、該フレームの内側にコンクリートを打設して硬化させ、コンクリート版を形成する工程とを有する。
【００１１】
この床パネルの製造方法の一態様にあっては、ベース板上にタイルを配列しておくことにより、タイル張り床パネルを製造する。
【００１２】
この床パネルの製造方法の別の一態様にあっては、ベース板の上面に台状部が設けられており、該台状部の上面の少なくとも一部が傾斜面となっており、該台状部を囲むベース板周部の上面が水平面となっており、フレーム本体が該台状部を取り囲むようにフレームを該ベース板上に設置することにより、排水勾配を有する床パネルを製造する。
【００１３】
この床パネルの製造方法のさらに別の一態様にあっては、前記ベース板の上面が傾斜しており、前記フレームをこの傾斜したベース板上面に設置することにより、排水勾配を有する床パネルを製造する。
【発明の効果】
【００１４】
本発明の床パネルは、コンクリート版と、該コンクリート版の周囲を囲むフレーム本体とを有しており、外周囲がフレーム本体にて構成されているので、運搬等に際して周縁が他物体に当っても損壊しない。このコンクリート版は鉄筋などの補強筋で補強されており、強度が高い。この補強筋は、溶接などによりフレーム本体に連結されており、コンクリート版はフレーム本体と強固に一体となっている。
【００１５】
この床パネルのフレーム本体の上に壁パネルを立設することにより、浴室、トイレルーム、シャワールームなどの部屋を構築することができる。壁パネルをフレーム本体の上に立設することにより、壁パネルの重量がコンクリート版に負荷されることが防止される。
【００１６】
このフレーム本体にアイボルト等の吊部を設けることにより、容易に吊り下げて運搬することができる。また、床パネル上に壁パネルを建て込んでユニットルームを構築した場合、この吊部を利用してユニットルームを吊り下げて運搬することもできる。
【００１７】
コンクリート版の上面に勾配をつけることにより、床の排水特性が良好となる。コンクリート版の上面にタイルを張ることにより、美観が向上すると共に、コンクリート版の防水性も向上する。
【００１８】
本発明の床パネルは、フレームをベース板上に設置し、フレーム本体の内側にコンクリートを打設することにより容易に製造することができる。また、この製造に際し、従来のＰＣ版の製造方法のような成形用型枠は不要であるので、設計の自由度が高い。
【００１９】
この床パネルを製造するに際し、ベース板上にタイルを配列しておくことにより、タイル張り床パネルを効率良く製造することができる。
【００２０】
ベース板の上面に台状部を設け、この台状部の上面の少なくとも一部を傾斜面としておき、この台状部をフレーム本体が囲むようにフレームをベース板上に設置してコンクリートを打設することにより、排水勾配を有した床パネルを容易に製造することができる。上面が傾斜したベース板の上にフレームを設置してコンクリートを打設することによっても、排水勾配を有した床パネルを容易に製造することができる。
【図面の簡単な説明】
【００２１】
【図１】実施の形態に係る床パネルの斜視図である。
【図２】図１のII−II線断面図である。
【図３】図２のIII部分の拡大図である。
【図４】図１のIV−IV線断面図である。
【図５】図１のＶ−Ｖ線断面図である。
【図６】フレームの斜視図である。
【図７】床パネルの製造方法を示す断面図である。
【図８】床パネルの製造方法を示す断面図である。
【図９】床パネルの一部の断面図である。
【発明を実施するための形態】
【００２２】
以下、図面を参照して実施の形態について説明する。
【００２３】
図１〜５の通り、床パネル１は、フレーム２と、コンクリート版３と、コンクリート版３の上面に張られた施釉陶磁器製タイル４とを有する。
【００２４】
図６の通り、フレーム２は枠状のフレーム本体２ａと、フレーム本体２ａ内に縦横に配列された補強筋（この実施の形態では鉄筋）２ｂとを有する。この実施の形態では、フレーム本体２ａは、平面視形状が長方形であるが、正方形であってもよく、またこれらとは異なる形状であってもよい。この実施の形態では、フレーム本体２ａは鉄製であるが、これに限定されない。
【００２５】
鉄筋２ｂは、方形のフレーム本体２ａの長辺及び短辺と平行な２方向に延在している。各鉄筋２ｂの両端はフレーム本体２ａに対し溶接などにより固着されている。コンクリート版３は、このフレーム本体２ａの内側にコンクリートを打設することにより形成されたものであり、鉄筋２ｂはコンクリート版３内に埋設されている。コンクリートを打設するに際して、塩化ビニルなどの合成樹脂製の汚水管５、排水目皿６を配置しておき、これらをコンクリート版３と一体とする。
【００２６】
この実施の形態では、図１，４の通り、フレーム本体２ａのコーナー部上面にアイボルト８が取り付けられている。フレーム本体２ａの上面にボルト挿通孔が設けられ、このボルト挿通孔と同軸に配置されたナット９が溶接によりフレーム本体２ａに固定されている。このナット９にアイボルト８が螺合している。アイボルト８にはロックナット９Ａが螺合している。
【００２７】
この実施の形態に係る床パネル１のコンクリート版３は、図７のように、ベース板１０を用いてコンクリートを打設することにより製造されたものである。
【００２８】
ベース板１０の上面には台状部１１が設けられ、該台状部１１の上面は傾斜面となっている。台状部１１の周囲のベース板周部１２の上面は水平面となっている。図７（１）の通り、タイル４を台状部１１上に配列した後、フレーム２を、そのフレーム本体２ａをこのベース板周部１２上に載せるようにしてベース板１０上に配置し、コンクリートを打設する（図７（２））。なお、図示は省略するが、台状部１１の上面に、タイル寸法に応じた目地枠を設けておくのが好ましい。
【００２９】
コンクリートが硬化した後、床パネル１をベース板１０から引き上げ、上下反転する(図７（３）)ことによりタイル張り床パネル１が得られる。台状部１１の上面が傾斜しているため、図７（３）の通り、製造された床パネル１のコンクリート版３の上面には排水勾配が形成される。
【００３０】
このように構成された床パネル１は、コンクリート版３と、該コンクリート版３の周囲を囲む鉄製フレーム本体２とを有しており、外周部が鉄製フレーム本体２となっているので、運搬等に際して周縁が他物体に当っても損壊しない。また、このフレーム本体２ａの上に壁パネルを立設してユニットルームを構築することができる。
【００３１】
このコンクリート版３は鉄筋２ｂで補強されており、強度が高い。この鉄筋２ｂは、溶接によりフレーム本体２ａに連結されているので、コンクリート版３はフレーム本体２ａと強固に一体となっている。また、このフレーム本体２ａにアイボルト８を設けているので、このアイボルト８にフックを掛けることができ、床パネル１やユニットルームを吊り下げて運搬することが容易である。
【００３２】
この実施の形態では、コンクリート版３の上面に排水勾配をつけているので、床の排水特性が良好となる。また、コンクリート版３の上面にタイル４を張っているので、美観が向上すると共に、コンクリート版３の防水性にも優れる。
【００３３】
上記実施の形態では図７のようにして床パネル１を製造しているが、図８（ａ）のように上面が傾斜したベース板１３の上にフレーム２を載せ、フレーム本体２ａの内側にコンクリートを打設し、コンクリートが硬化した後、図８（ｂ）のベース板１３を分離することによっても床パネル１’を製造することができる。ベース板１３の上面が傾斜しているので、コンクリート版３の上面は排水勾配を有したものとなる。
【００３４】
図８のようにしてコンクリート版３を形成した後、必要に応じタイル４をコンクリート版３の上面に張ることにより、タイル張り床パネル１が得られる。
【００３５】
本発明では、図９のように、フレーム本体２ａの内側面にＬアングル１４を溶接等により一体に設け、フレーム２によるコンクリート版３の支承強度を高くするようにしてもよい。
【００３６】
上記説明は本発明の一例であり、本発明は上記以外の構成とされてもよい。例えば、排水勾配はコンクリート版３の一部にのみ設けられてもよい。タイル４はコンクリート版の一部にのみ張られてもよい。
【符号の説明】
【００３７】
１，１’  床パネル
２  フレーム
２ａ  フレーム本体
２ｂ  鉄筋
３  コンクリート版
４  タイル
１０，１３  ベース板
１１  台状部
１２  ベース板周部
【図１】
2014156702.tif 000003
【図２】
2014156702.tif 000004
【図３】
2014156702.tif 000005
【図４】
2014156702.tif 000006
【図５】
2014156702.tif 000007
【図６】
2014156702.tif 000008
【図７】
2014156702.tif 000009
【図８】
2014156702.tif 000010
【図９】
2014156702.tif 000011